(57)【特許請求の範囲】
【請求項１】
長手方向中間の両側に、使用状態においてショーツの股間部の側縁を回り込んでショーツ外面にそれぞれ当てがわれるウイングを一体的に有し、この両ウイングの非使用面にズレ止め用粘着手段がそれぞれ形成され、かつこのズレ止め用粘着手段に対し、これを完全に覆った状態で剥離紙がそれぞれ仮着され、前記両剥離紙は、少なくともそれぞれ対応するズレ止め用粘着手段の内側縁を越えてさらに内方側に延在する未仮着部分を有し、かつこの未仮着部分の全部または一部が反対側に折り返されて、ウイング展開状態で起立する摘み部となっているウイング付吸収性物品を得るに当り、
ウイング付吸収性物品の製造ライン最終における前記ウイングの折り畳み工程において、
前記両剥離紙の折り返し位置を前記ウイングの折り畳み線として、該ウイングを非使用面側に折り畳むことにより、前記両剥離紙に折り目を付与し、ウイング展開状態で起立する摘み部とするウイング付吸収性物品の製造方法。
【発明の詳細な説明】
【０００１】
【産業上の利用分野】
本発明は、特にウイング部分に仮着された剥離紙の剥離を容易としたウイング付吸収性物品の製造方法に関する。
【０００２】
【従来の技術】
生理用ナプキンやおりものシートは、経血やおりものの排出中、人体の局部に当てがうようにショーツに貼着して使用するが、日常生活で普通に行われる歩行や軽い運動等を使用中に行うと、それらの行動に伴って局部との相対位置がズレ易くなる。このようなズレが生じた場合、経血やおりものがショーツから漏れ易くなるため、かかるズレを防止することは非常に重要である。
【０００３】
例えば従来、代表的に用いられていた生理用ナプキンの背面図を図６に、その断面図を図７にそれぞれ示す。ナプキン本体１は、保持体２によって保持されており、保持体２において、使用時にショーツ側となる面（以下、非使用面といい、人体側となる面を使用面という。）に、その面の大部分を覆うようにズレ止め用粘着剤４が塗布されており、使用前においては、ズレ止め用粘着剤４は、たとえばプラスチックフィルムからなる剥離紙５によって全体的に覆われた状態で仮着されている。なお、本明細書において「仮着」とは、粘着手段に対して、その粘着力を低下させない状態で貼着されていることをいう。
【０００４】
この生理用ナプキンを使用するに先立ち、剥離紙５を生理用ナプキンから剥離し、ズレ止め用粘着剤４を介して生理用ナプキンをショーツ内面に貼着固定する。一般に、人体とショーツとの相対位置はほぼ安定しているので、このようにショーツとナプキンとの相対位置を固定することによって、上記ズレを防止することができる。
【０００５】
しかし、この生理用ナプキンでは、日常生活においての支障はないものの、激しい運動を行った時等には、生理用ナプキンとショーツとの相対位置のズレ、いわゆる横ズレを避けることができず、結果として、経血がショーツから漏れてしまうものであった。
【０００６】
かかる横ズレを防止するために、近年、図８に示すようなウイング付生理用ナプキンが用いられている。このナプキンは、基体部２１とその幅方向両端から延在するウイング２２，２２とからなる保持体２上にナプキン本体１を一体的に備えており、基体部２１の非使用面側には、ズレ止め用粘着剤４Ａが適宜のパターンで塗布されるとともに、各ウイング２２、２２の非使用面側にズレ止め用粘着剤４Ｂが塗布され、これらズレ止め用粘着剤４Ａ、４Ｂ上に剥離紙５Ａ、５Ｂが仮着されている。この生理用ナプキンをショーツに固定する際には、図９に示すように、前記剥離紙５Ａを剥がしてナプキンをショーツＳの股間部に当てがい固定した後、ウイング２２をショーツＳの股間部の側縁を回り込ませ、ウイング２２，２２の剥離紙５Ｂを剥がしてウイング２２，２２を固定する。生理用ナプキンは、基体部２１に塗布されているズレ止め用粘着剤４Ａ、および各ウイング２２、２２に貼着されているズレ止め用両面粘着剤４ＢによってショーツＳに対してしっかりと固定され、その後の横ずれが防止される。
【０００７】
【発明が解決しようとする課題】
ところで、ウイング付生理用ナプキンにおいては、各ズレ止め用粘着剤４Ａ、４Ｂ上に仮着されている剥離紙５Ａ，５Ｂの剥離を容易にするために、剥離紙５Ａ，５Ｂをズレ止め用粘着剤４Ａ、４Ｂの面積よりも大きくして未仮着部分を形成しておき、この未仮着部分を剥離する際の摘み部として剥離できるようにしている。
【０００８】
この場合、基体部２１のズレ止め粘着剤４Ａに仮着されている剥離紙５Ａは、その面積が大きいため、剥離が比較的容易であるが、両ウイング２２，２２のズレ止め用粘着剤４Ｂに仮着されている剥離紙５Ｂの場合には、剥離紙の面積も小さいため、剥離の際には、たとえばウイング２２を折り曲げて前記剥離紙５Ｂの摘み部分を外方に突出させるようにしてから、該摘み部分を摘んで剥離しなければならず、非常に面倒であった。
【０００９】
そこで、本発明の課題は、剥離紙、特に両ウイングのズレ止め用粘着手段に仮着されている剥離紙を、容易に剥がすことができるウイング付生理用ナプキンやそれに類似したおりものシートといったウイング付吸収性物品を容易に製造できるようにすることにある。
【００１０】
【課題を解決するための手段】
上記課題を解決するため、本発明は、長手方向中間の両側に、使用状態においてショーツの股間部の側縁を回り込んでショーツ外面にそれぞれ当てがわれるウイングを一体的に有し、この両ウイングの非使用面にズレ止め用粘着手段がそれぞれ形成され、かつこのズレ止め用粘着手段に対し、これを完全に覆った状態で剥離紙がそれぞれ仮着され、前記両剥離紙は、少なくともそれぞれ対応するズレ止め用粘着手段の内側縁を越えてさらに内方側に延在する未仮着部分を有し、かつこの未仮着部分の全部または一部が反対側に折り返されて、ウイング展開状態で起立する摘み部となっているウイング付吸収性物品を得るに当り、
ウイング付吸収性物品の製造ライン最終における前記ウイングの折り畳み工程において、
前記両剥離紙の折り返し位置を前記ウイングの折り畳み線として、該ウイングを非使用面側に折り畳むことにより、前記両剥離紙に折り目を付与し、ウイング展開状態で起立する摘み部とするウイング付吸収性物品の製造方法である。
【００１１】
【作用】
本発明により製造されるウイング付吸収性物品においては、ウイング部ズレ止め用粘着手段に仮着されている剥離紙の摘み部分が折り返され起立しているため、この部分を摘んで剥離紙を簡単に剥離することができる。
【００１２】
そして、このような起立する摘み部を形成する方法として、本発明においては、製造ラインのウイング折り畳み工程において、前記両剥離紙の折り返し位置を前記ウイングの折り畳み線として、該ウイングを非使用面側に折り畳むことにより、前記両剥離紙に折り目を付与し、起立する摘み部とする。すなわち、従来より、ウイング付生理用ナプキンのウイングは、包装のためにセーラーなどの折り畳み手段により基体部側に折り返される。このとき、前記剥離紙に折り目を与えるように、その折り返し位置を調節することにより、特に余分な工程を踏まずに剥離紙に折り目を与え、起立する摘み部を形成することができる。
【００１３】
【実施例】
以下、本発明を図面に示すウイング付生理用ナプキンを実施例にして、具体的に説明する。
図１は、本発明に係るウイング付生理用ナプキンの背面図、図２はそのII−II線矢視図である。ナプキンＮは、適宜公知の構造をもって組み立てられた短冊状のナプキン本体１と、本発明にいう保持体、たとえばポリエチレンラミネート不織布（以下、単にポリラミ不織布という。）２とからなる。このポリラミ不織布２は、使用面側が不織布とされ、非使用面側がポリエチレンとされ、ナプキン本体１が固定されている基体部２１とこの基体部２１の両側から外方に延在するウイング２２、２２とから構成されている。ナプキン本体１は、ポリラミ不織布２の基体部２１の長手方向に沿って配置され、その当接面の全面または一部がホットメルト接着剤Ｈによって強固にポリラミ不織布２に接着されており、さらに、その長手方向両端の吸収体の存在しない部分３，３が、ヒートシールされることによってポリラミ不織布２と一体となっている。
【００１４】
前記ポリラミ不織布２の基体部２１の非使用面側には、適宜の塗布パターンによりズレ止め用粘着手段４Ａ、４Ａが形成されており、これらズレ止め用粘着手段４Ａ、４Ａのすべてを覆うような大きな剥離紙５Ａが仮着されている。一方、ウイング２２の非使用面側においても、ズレ止め用粘着手段４Ｂが形成されており、このズレ止め用粘着手段４Ｂ、４Ｂの内側縁４ａ、４ａを越えてさらに内方側に延在する未仮着部分５ａ，５ａを有し、かつこの未仮着部分５ａ，５ａの一部が反対側に折り返されて、ウイング展開状態で起立する摘み部（５ａ）となっている。なお、前記ズレ止め用粘着手段４Ａ、４Ｂとしては、粘着型ホットメルト接着剤の他、両面テープなどを使用することができる。また、前記摘み部５ａの折り返しは、未仮着部分５ａの全部を折り返すことでもよい。
【００１５】
次に、本発明に係るウイング付生理用ナプキンの製造方法について説明する。
図３において、ウイング付生理用ナプキンは、帯状のポリラミ不織布２の素材の使用面側（不織布側）に、ナプキン本体１、１…が断続的に供給され、ホットメルト接着剤により接着され、その長手方向両端部分がヒートシールされ一体化されるとともに、その非使用面側に、ズレ止め用粘着剤４Ａ、４Ａが塗布され、このズレ止め用粘着剤４Ａ、４Ａを覆うように剥離紙５Ａが仮着される。また、剥離紙５Ａを跨ぐ両側のウイング相当位置にズレ止め用粘着剤４Ｂ、４Ｂが塗布されるとともに、このズレ止め用粘着剤４Ｂ、４Ｂを覆って剥離紙５Ｂ、５Ｂが仮着される。この場合、前記剥離紙５Ｂ、５Ｂは、ズレ止め用粘着剤４Ｂ、４Ｂの内側縁を越えてさらに内方側に延在する未仮着部分５ａ、５ａを有している。
【００１６】
その後、ポリラミ不織布２の素材が所定形状にカットされ、単体の生理用ナプキンが製造された後、包装のために両ウイング２２、２２をナプキン本体１側に折り畳む工程において、剥離紙５Ｂ、５Ｂの未仮着部分５ａ、５ａを通るラインＬを折り畳み線としてセーラー３０によって折り畳む。この折り畳みの様子を詳細に図示すると、図４（Ａ）〜（Ｂ）となる。図４（Ａ）において、剥離紙５Ｂの未仮着部分５ａを通るラインＬを折り畳み線として１８０°の折り返しによりウイング２２が折り畳まれる。これにより、摘み部５ａの基端部にきっちりとした折りぐせが付与され、図５に示されるように、使用に当り、ウイング２２を展開させたとき、摘み部５ａが起立する。使用者は、この起立した摘み部５ａを摘んで容易に剥離紙５Ｂを剥離することができる。
【００１７】
なお、他の摘み部５ａの起立方法として、剥離紙５Ｂの仮着前に予め折り目を付けておくことも考えられたが、この場合には剥離紙５Ｂ単独の状態で別途折り目を付与する工程が必要となるため、本発明に係る製造方法のほうが、より実用的である。
【００１８】
以上、本実施例においては、ポリラミ不織布上にナプキン本体が接着された構造の生理用ナプキンを例に採り説明したが、他の構造、たとえば不透液性シートと透液性シートとの間に吸収体が介在された構造の生理用ナプキン等、両サイドにウイングを有するすべての吸収性物品に対して適用可能である。
【００１９】
【発明の効果】
以上の説明から明らかなとおり、本発明によれば、剥離紙、特に両ウイングに仮着されている剥離紙を容易に剥がすことができる吸収性物品を、製造工程を付加することなく容易に製造することができる。
【図面の簡単な説明】
【図１】本発明に係る生理用ナプキンの背面図である。
【図２】そのII−II線矢視図である。
【図３】本発明に係るウイング付生理用ナプキンの製造工程を示す図である。
【図４】ウイング折り畳み工程を示す拡大図である。
【図５】本発明に係るウイング付生理用ナプキンの要部展開状態図である。
【図６】従来の生理用ナプキンの背面図である。
【図７】その断面図である。
【図８】従来のウイング付生理用ナプキンの背面図である。
【図９】ウイング付生理用ナプキンのショーツに対する固定状態斜視図である。
【符号の説明】
１…ナプキン本体、２…ポリラミ不織布、３…ヒートシール、４Ａ・４Ｂ…ズレ止め用粘着剤、５Ａ・５Ｂ…剥離紙、５ａ…摘み部、２１…基体部、２２…ウイング、Ｎ…生理用ナプキン。
【図１】
0003597568.tif 000002
【図２】
0003597568.tif 000003
【図３】
0003597568.tif 000004
【図４】
0003597568.tif 000005
【図５】
0003597568.tif 000006
【図６】
0003597568.tif 000007
【図７】
0003597568.tif 000008
【図８】
0003597568.tif 000009
【図９】
0003597568.tif 000010